(57)【要約】【課題】便器に備えられた便座や洗浄水加温に係る消費電力を省き、便座の上げ忘れを防止する。【解決手段】回動軸部材２によって軸着された回動自在な便座１を便器本体３に有し、使用者の便座操作（即ち、便座１の立ち下げから着座動作）に伴う制御角度の変化に基づいて、該便座１を加温する装置と該便器３に備えられた洗浄水を加温する装置に係る通電制御と、使用者の該便器使用後における便座１の撥ね上げ動作制御と、を行う。【選択図】図１
2007209641.tif 000002
【特許請求の範囲】
【請求項１】
回動軸部材によって軸着された便座を便器本体に有し、
該便座を加温する装置と該便器に備えられた洗浄水を加温する装置に係る通電制御と、該便座の回動動作制御と、を行う自動撥ね上げ式便座付き便器であって、
前記の便座と便器本体によって制御角度を形成し、
該便座が該便器本体の内側方向に回転することによって、該制御角度が立ち下げ角度に達して通電し、該制御角度が該立ち下げ角度から着座角度に達して通電を停止する通電制御を行い、
該通電制御に応じて、該便座を加温する装置と洗浄水を加温する装置に備えられた蓄電媒体に通電して該便座と該洗浄水を加温する、
ことを特徴とする自動撥ね上げ式便座付き便器。
【請求項２】
回動軸部材によって軸着された便座を便器本体に有し、
該便座を加温する装置と該便器に備えられた洗浄水を加温する装置に係る通電制御と、該便座の回動動作制御と、を行う自動撥ね上げ式便座付き便器であって、
前記の便座と便器本体によって制御角度を形成し、
該便座が該便器本体の内側方向に回転することによって、該制御角度が立ち下げ角度に達して通電し、該便座が立ち下げ角度より該便器本体の内側方向に回転した後で反転し、立ち下げ角度に達して通電を停止する通電制御を行い、
該通電制御に応じて、前記の便座を加温する装置と洗浄水を加温する装置に備えられた蓄電媒体に通電して該便座と該洗浄水を加温する、
ことを特徴とする自動撥ね上げ式便座付き便器。
【請求項３】
回動軸部材によって軸着された便座を便器本体に有し、
該便座を加温する装置と該便器に備えられた洗浄水を加温する装置に係る通電制御と、該便座の回動動作制御と、を行う自動撥ね上げ式便座付き便器であって、
前記の便座と便器本体によって制御角度を形成し、
該便座が該便器本体の内側方向に回転することによって、該制御角度が立ち下げ角度に達して通電し、該便座が立ち下げ角度より該便器本体の内側方向に回転した後で反転し、立ち上げ角度に達して通電を停止する通電制御を行い、
該通電制御に応じて、前記の便座を加温する装置と洗浄水を加温する装置に備えられた蓄電媒体に通電して該便座と該洗浄水を加温する、
ことを特徴とする自動撥ね上げ式便座付き便器。
【請求項４】
前記の便座が前記便器本体の内側方向に立ち下げ角度まで回転することによって、前記便座がロックされ、
該便座が該便器本体の内側方向に該立ち下げ角度から着座角度まで回転することによって該便座のロックが解除され、
該便器に備えられた弾性体によってロックが解除された便座を撥ね上げる回動動作制御を行う、
ことを特徴とする請求項１乃至３のいずれかに記載の自動撥ね上げ式便座付き便器。
【発明の詳細な説明】
【技術分野】
【０００１】
本発明は、自動撥ね上げ式便座付き便器であって、例えば、洗浄式便器に関するものである。
【背景技術】
【０００２】
一般に、洗浄式便器の便座や洗浄水の加温に係る通電には、通電を待機する（通電の停止、または、通電されていても消費電力が抑えられている）モード（以後、待機モードと称する）及び通電され便座や洗浄水を加温するモード（以後、運転モードと称する）が設定されている。
【０００３】
例えば、便器の使用者（以後、使用者と略す）の操作によって、前記の洗浄式便器の便座や洗浄水の加温に係る通電が、該待機モードや運転モードに切り替えられることになる。
【０００４】
また、市場における洗浄式便器の便座や洗浄水の加温に係る通電方式には、次の２方式が知られている。
【０００５】
第１の方式は、使用者の着座を契機にして加温される方式でなく、使用者が着座前に便座に加重を加えることで加温する方式（以後、便座加重方式と称する）である（例えば、特許文献１参照）。なお、前記の第１の方式では、着座前の加重を掛け忘れると着座と同時に加温されるので、使用者に不快感を与えることもある。
【０００６】
また、便座などを瞬時に加温する方式としては、電気二重層コンデンサなどの蓄電媒体を使用して加温する方式が知られている（例えば、特許文献２参照）。
【０００７】
第２の方式は、トイレットルームに取り付けられた扉，便座，便蓋に各々設置されたセンサ（例えば、人感センサや開閉動作（例えば、開動作）センサ）の感知によって、待機モードから運転モードに移る方式である。
【０００８】
前記の第２の方式には、例えば、トイレットルームに設置された人感センサによって便座を加温制御する方式（例えば、特許文献３参照）、便座や便蓋の開閉動作検知センサによって便座を加温制御する方式（以後、開閉感知方式と称する；例えば、特許文献４参照）も知られている。
【特許文献１】特開２０００−１４５９７（段落［００１０］〜［００１８］等）。
【特許文献２】特開平１１−２４４１９９（段落［０００４］〜［０００６］等）。
【特許文献３】特開２０００−１２６０８５（段落［００１１］〜［００１２］等）。
【特許文献４】特開２０００−８３８６３（段落［０００３］〜［０００４］等）。
【発明の開示】
【発明が解決しようとする課題】
【０００９】
前述のような便座加重方式では、前記の待機モード中に待機電力消費が殆ど発生しない。しかし、使用者が便座に座った時に、便座温度が十分に上昇しておらず、使用者が便座の冷たさを感じてしまう。さらに、洗浄水の温度も、該使用者が快適に感じる温度まで上昇しないこともある。
【００１０】
一方、前述の便座加重方式における便座には、使用者の体重がかかるため、加重を検知するスイッチに関して耐加重性を備えさせることもある。この耐加重性のための仕組みは、便器製作に係るコストのアップに繋がることになった。
【００１１】
さらに、便器使用後に、便蓋が上げ忘れられると、便座や洗浄水に対する加温が継続され、無駄な消費電力が生じていた。この無駄な消費電力に対しては、トイレットルームに人感センサを設置し、該人感センサによって便蓋を自動的に制御する対策が施されていた。しかし、この人感センサを設置するために、便器製作に係るコストは、更にアップすることになった。
【００１２】
前述のように、トイレットルームの扉に係る開閉感知方式は、例えば、該扉が開けられた状態を契機と見做し、便座及び洗浄水を加温する。そのため、使用者が着座するまでに、便座及び洗浄水を快適な温度まで加温できる。
【００１３】
しかし、男性の使用者が便座に腰掛ける回数は、女性の使用者が便座に腰掛ける回数より少ないと考えられるため、便座や洗浄水の加温に係る加温エネルギーは無駄になってしまう。
【００１４】
また、前述の便蓋に係る開閉感知方式では、使用者が便器使用後に便座（または便蓋）を上げ忘れると、便座や洗浄水に対する加温が継続されるため、人感センサなどを設置し、該人感センサによって便蓋の自動開閉を制御する対策を必要とする。
【００１５】
本発明は、前記課題に基づいてなされたものであり、便器に備えられた便座や洗浄水の加温に係る消費電力を省き、該便座の上げ忘れを防止する自動撥ね上げ式便座付き便器を提供することにある。
【課題を解決するための手段】
【００１６】
本発明は、前記課題の解決を図るために、請求項１記載の発明は、回動軸部材によって軸着された便座を便器本体に有し、該便座を加温する装置と該便器に備えられた洗浄水を加温する装置に係る通電制御と、該便座の回動動作制御と、を行う自動撥ね上げ式便座付き便器であって、前記の便座と便器本体によって制御角度を形成し、該便座が該便器本体の内側方向に回転することによって、該制御角度が立ち下げ角度に達して通電し、該制御角度が該立ち下げ角度から着座角度に達して通電を停止する通電制御を行い、該通電制御に応じて、該便座を加温する装置と洗浄水を加温する装置に備えられた蓄電媒体に通電して該便座と該洗浄水を加温する、ことを特徴とする。
【００１７】
請求項２記載の発明は、回動軸部材によって軸着された便座を便器本体に有し、該便座を加温する装置と該便器に備えられた洗浄水を加温する装置に係る通電制御と、該便座の回動動作制御と、を行う自動撥ね上げ式便座付き便器であって、前記の便座と便器本体によって制御角度を形成し、該便座が該便器本体の内側方向に回転することによって、該制御角度が立ち下げ角度に達して通電し、該便座が立ち下げ角度より該便器本体の内側方向に回転した後で反転し、立ち下げ角度に達して通電を停止する通電制御を行い、該通電制御に応じて、前記の便座を加温する装置と洗浄水を加温する装置に備えられた蓄電媒体に通電して該便座と該洗浄水を加温する、ことを特徴とする。
【００１８】
請求項３記載の発明は、回動軸部材によって軸着された便座を便器本体に有し、該便座を加温する装置と該便器に備えられた洗浄水を加温する装置に係る通電制御と、該便座の回動動作制御と、を行う自動撥ね上げ式便座付き便器であって、前記の便座と便器本体によって制御角度を形成し、該便座が該便器本体の内側方向に回転することによって、該制御角度が立ち下げ角度に達して通電し、該便座が立ち下げ角度より該便器本体の内側方向に回転した後で反転し、立ち上げ角度に達して通電を停止する通電制御を行い、該通電制御に応じて、前記の便座を加温する装置と洗浄水を加温する装置に備えられた蓄電媒体に通電して該便座と該洗浄水を加温する、ことを特徴とする。
【００１９】
請求項４記載の発明は、請求項１乃至３のいずれかに記載の発明において、前記の便座が前記便器本体の内側方向に立ち下げ角度まで回転することによって、前記便座がロックされ、該便座が該便器本体の内側方向に該立ち下げ角度から着座角度まで回転することによって該便座のロックが解除され、該便器に備えられた弾性体によってロックが解除された便座を撥ね上げる回動動作制御を行う、ことを特徴とする。
【００２０】
前記の請求項１の発明によれば、制御角度に基づいて、便座を加温する装置と該便器に備えられた洗浄水を加温する装置に通電できる。さらに、制御角度が立ち下げ角度から着座角度に達する間のみ、前記の便座を加温する装置と洗浄水を加温する装置に通電できる。
【００２１】
前記の請求項２の発明によれば、制御角度に基づいて、便座を加温する装置と該便器に備えられた洗浄水を加温する装置に通電できる。さらに、制御角度が立ち下げ角度から再び立ち下げ角度に達する間のみ、前記の便座を加温する装置と洗浄水を加温する装置に通電できる。
【００２２】
前記の請求項３の発明によれば、制御角度に基づいて、便座を加温する装置と該便器に備えられた洗浄水を加温する装置に通電できる。さらに、制御角度が立ち下げ角度から立ち上げ角度に達する間のみ、前記の便座を加温する装置と洗浄水を加温する装置に通電できる。
【００２３】
前記の請求項４の発明によれば、便座を自動的に撥ね上げることができる。
【発明の効果】
【００２４】
以上示したように請求項１の発明によれば、制御角度に基づいて、便座を加温する装置と該便器に備えられた洗浄水を加温できる。さらに、制御角度が立ち下げ角度から着座角度に達する間に、便座と洗浄水を加温できる。そして、制御角度に基づいた迅速な加温を行うため、便器が未使用の状態にあっても、無駄な電力を消費することなく、省電力化を図ることができる。
【００２５】
請求項２の発明によれば、制御角度に基づいて、便座を加温する装置と該便器に備えられた洗浄水を加温できる。さらに、制御角度が立ち下げ角度から再び立ち下げ角度に達する間に、便座と洗浄水を加温できる。そして、制御角度に基づいた迅速な加温を行うため、便器が未使用の状態にあっても、無駄な電力を消費することなく、省電力化を図ることができる。
【００２６】
請求項３の発明によれば、制御角度に基づいて、便座を加温する装置と該便器に備えられた洗浄水を加温できる。さらに、制御角度が立ち下げ角度から立ち上げ角度に達する間に、便座と洗浄水を加温できる。そして、制御角度に基づいた迅速な加温を行うため、便器が未使用の状態にあっても、無駄な電力を消費することなく、省電力化を図ることができる。
【００２７】
請求項４の発明によれば、便座の上げ忘れを防止できる。
【００２８】
これらを以って洗浄式便器の分野に貢献できる。
【発明を実施するための最良の形態】
【００２９】
以下、本発明の実施の形態における自動撥ね上げ式便座付き便器を図面等に基づいて詳細に説明する。
【００３０】
本実施の形態は、回動軸部材によって軸着された回動自在な便座を便器本体に有し、使用者の便座の立ち下げから着座までの操作に伴う制御角度（制御角度の説明は後述する）の変化に基づいて、該便座を加温する装置と該便器に備えられた洗浄水を加温する装置に係る通電制御と、使用者の該便器使用後における便座の撥ね上げ動作制御と、を行う自動撥ね上げ式便座付き便器である。
【００３１】
なお、前記の制御角度は、次のように考えられる。まず、前記の便座と便器本体の各々の外面上に回動軸の軸心から離れて設定された点であって、該便座と該便器本体の上面が該便座の回転によって接触する点を接触点（即ち、便座を支える点）と見做す。そして、前記の制御角度は、前記の便座の接触点から回転軸の軸心へ降ろした垂線と前記の便器本体の接触点から回動軸の軸心へ降ろした垂線によって挟まれた角度（即ち、便座と便器本体によって形成される角度）である。
【００３２】
本実施の形態における自動撥ね上げ式便座付き便器の基本構成を図１及び図２に基づいて以下に説明する。
【００３３】
なお、図１Ａは、待機モードにある自動撥ね上げ式便座付き便器の側面図である。図１Ｂは、運転モードにある自動撥ね上げ式便座付き便器の側面図である。また、図２Ａは、自動撥ね上げ式便座付き便器の立ち下げ角度の説明図である。図２Ｂは、自動撥ね上げ式便座付き便器の着座角度に関する説明図である。図２Ｃは、自動撥ね上げ式便座付き便器の立ち上げ角度に関する説明図である。
【００３４】
図１中の自動撥ね上げ式便座付き便器には、回動軸部材２によって軸着された便座１を回動自在に回動させる機構が備えられている。即ち、その軸着された便座１の便器本体３の内側方向（即ち、利用者が便座を下ろす方向）に回転する回転方向ｒ１と、便器本体３の外側方向（即ち、利用者が便座を上げる方向）に回転する回転方向ｒ２と、にそれぞれ回動することによって便器本体３の開口部を開閉する。
【００３５】
なお、図１中の便座１の下面１ａと便器本体３の上面３ａは略平坦に形成され、該下面１ａと該上面３ａが面で接触できるものとする。そのため、該下面１ａと該上面３ａに挟まれた角度（例えば、図１Ａ中の角度α）を制御角度と見做すこととする。
【００３６】
また、図示省略されているが、図１中の自動撥ね上げ式便座付き便器には、次のような動作制御機構（例えば、スプリングリターン機構）が備えられているものとする。
【００３７】
前記使用者が便座１を立ち下げた際の制御角度（以後、立ち下げ角度と称する；例えば、図１Ｂ及び図２Ａ中の便座１の制御角度β）で、該便座１を少なくとも立ち下げ角度から回転方向ｒ２に回転しないように固定する。
【００３８】
前記使用者の体重によって、前記の立ち下げ角度より回転方向ｒ１へ若干回転した時の制御角度（以後、着座角度と称する；例えば、図２Ｂ中の制御角度γ）で該便座１を立ち下げ角度から回転方向ｒ２に回転できるように解放する。
【００３９】
前記使用者が便座１から立ち上がると、該便座１が自動的に回転方向ｒ２に回転し、そして、該便座１が使用者の立ち上がる動作を阻害しない程度に緩慢に撥ね上がる。
【００４０】
そして、前記便座１が立ち上がった際の制御角度（以後、立ち上げ角度と称する；例えば、図２Ｃ中の制御角度δ）に達したところで、少なくとも、さらに回転方向ｒ２方向に回転しないように固定される。
【００４１】
なお、前記の立ち下げ角度と着座角度の関係は、例えば、便器３の上面３ａを水平面と見做し、該上面３ａに対して便座１の下面１ａが、水平または仰角（例えば、水平に近い仰角）を成す角度を立ち下げ角度（例えば、図２中の制御角度β）と見做し、俯角を成す角度を着座角度（例えば、図２中の制御角度γ）と見做しても良い。
【００４２】
また、前記の撥ね上げる機構には、スプリング式機構，油圧式機構，空気圧式機構なども想定でき、例えば、図１中の回動軸部材２に、便座１を撥ね上げるための弾性体（例えば、バネ，スプリング，油圧式弾性体，空気式弾性体）が内蔵されているものとする。
【００４３】
図示省略されているが、図１中の自動撥ね上げ式便座付き便器には、便座１の制御角度（例えば、立ち下げ角度，着座角度，立ち上げ角度）に基づいて、通電を制御するスイッチ（以後、角度検出スイッチ）が備えられているものとする。なお、本実施の第１形態乃至第３形態における角度検出スイッチに係る通電制御表が、表１である。その表１に関する説明は、本実施の第１形態乃至第３形態で詳細に説明する。
【００４４】
【表１】
2007209641.tif 000003
【００４５】
そして、前記の角度検出スイッチが、前記の自動撥ね上げ式便座付き便器に設置された便座加温器（例えば、便座に内蔵されたヒータ）や洗浄水加温器（例えば、洗浄水槽に設置されたヒータ）に係る通電を制御するものである。
【００４６】
さらに、前記のヒータには、省電力特性を有する蓄電媒体（例えば、電気二重層キャパシタ）を有する急速加温方式ヒータが採用されているものとする。
【００４７】
［本実施の第１形態］
本実施の第１形態における自動撥ね上げ式便座付き便器の動作を図３及び表１に基づいて以下に説明する。なお、以下の説明では、図１及び図２中の符号と同じものの説明を省略する。
【００４８】
まず、使用者がトイレに入って着座する場合、便座１を立ち上げ角度（Ｃ１０）から立ち下げ角度まで下ろす（Ｓ１１）。前記の便座１が立ち下げ角度に達したことによって、該便座１がロックされる。
【００４９】
次に、前記の便座１が立ち下げ角度に下ろされた時に、前記の角度検出スイッチが、便座加温器（即ち、便座を加温する装置）や洗浄水加温器（即ち、洗浄水を加温する装置）に通電し、便座加温器や洗浄水加温器の動作を開始する（Ｓ１２及びＣ１１）。例えば、前記の動作は、便座１の加温や洗浄水の加温である。
【００５０】
なお、前記の便座１や洗浄水に係る加温時間は、例えば、便座１の制御角度が立ち下げ角度から着座角度に移るまでの時間とする。また、前記の加温時間中に、便座１と洗浄水が適温に達した場合、便座１の加温や洗浄水の加温を停止する。
【００５１】
次に、前記の使用者が便座１に腰掛けると、前記の角度検出スイッチは、前記の便座加温器や洗浄水加温器に関する通電を停止する（Ｓ１３及びＣ１２）。即ち、前記の自動撥ね上げ式便座付き便器は、便座１が着座角度に達したときに待機モードになる。また、使用者の体重によって、前記の便座１が着座角度に達し、該便座１を着座角度から回転方向ｒ２に回転できるように開放する。
【００５２】
次に、前記の使用者が便座１から立ち上がると、前記の回転方向ｒ２に開放された便座１が、例えば、スプリングリターン方式で緩慢に回転し撥ね上がる（Ｓ１４及びＣ１３）。
【００５３】
そして、前記の便座１が立ち上げ角度に達したところで、該便座１は前記の回転方向ｒ２に該便座１の自重によって回転しないように固定される。即ち、次に利用者が便座１を下ろそうとするまで固定される。（Ｓ１５及びＣ１４）。
【００５４】
なお、使用者が前記の自動撥ね上げ式便座付き便器を利用する度に、符号Ｓ１１からＳ１５が繰り返される。
【００５５】
［本実施の第２形態］
本実施の第２形態における自動撥ね上げ式便座付き便器の動作を図４及び表１に基づいて以下に説明する。なお、以下の説明では、図１及び図２中の符号と同じものの説明を省略する。
【００５６】
まず、使用者がトイレに入って着座する場合、便座１を立ち上げ角度（Ｃ２０）から立ち下げ角度まで下ろす（Ｓ２１）。前記の便座１が立ち下げ角度に達したことによって、該便座１がロックされる。
【００５７】
次に、前記の便座１が立ち下げ角度に下ろされた時に、前記の角度検出スイッチが、便座加温器や洗浄水加温器に通電し、便座加温器や洗浄水加温器の動作を開始する（Ｓ２２及びＣ２１）。
【００５８】
なお、便座１の加温や洗浄水に係る加温時間は、例えば、便座１の制御角度が立ち下げ角度から着座角度を経て、もう一度、立ち下げ角度に移るまでの時間とする。また、前記の加温時間中に、便座１と洗浄水が適温に達した場合、便座１の加温や洗浄水の加温を停止する。
【００５９】
次に、前記の使用者が便座１に腰掛ける（Ｓ２３及びＣ２２）。また、使用者の体重によって、前記の便座１が着座角度に達し、該便座１を着座角度から回転方向ｒ２に回転できるように開放する。
【００６０】
次に、前記の使用者が便座１から立ち上がると、前記の回転方向ｒ２に開放された便座１が、例えば、スプリングリターン方式で緩慢に回転し撥ね上がる。前記の便座１が立ち下げ角度に達した際に、前記の角度検出スイッチは、前記の便座加温器や洗浄水加温器に対する通電を停止する（Ｓ２４及びＣ２３）。即ち、前記の自動撥ね上げ式便座付き便器は、便座１が着座角度から立ち下げ角度に達したときに待機モードになる。
【００６１】
そして、前記の便座１が立ち上げ角度に達したところで、該便座１は前記の回転方向ｒ２に該便座１の自重によって回転しないように固定される。即ち、次に利用者が便座１を下ろそうとするまで固定される。（Ｓ２５及びＣ２４）。
【００６２】
なお、使用者が前記の自動撥ね上げ式便座付き便器を利用する度に、符号Ｓ２１からＳ２５が繰り返される。
【００６３】
［本実施の第３形態］
本実施の第３形態における自動撥ね上げ式便座付き便器の動作を図５及び表１に基づいて以下に説明する。なお、以下の説明では、図１及び図２中の符号と同じものの説明を省略する。
【００６４】
まず、使用者がトイレに入って着座する場合、便座１を立ち上げ角度（Ｃ３０）から立ち下げ角度まで下ろす（Ｓ３１）。前記の便座１が立ち下げ角度に達したことによって、該便座１がロックされる。
【００６５】
次に、前記の便座１が立ち下げ角度に下ろされた時に、前記の角度検出スイッチが、便座加温器や洗浄水加温器に通電し、便座加温器や洗浄水加温器の動作を開始する（Ｓ３２及びＣ３１）。
【００６６】
なお、便座１の加温や洗浄水に係る加温時間は、例えば、便座１の制御角度が立ち下げ角度から着座角度を経て、立ち上げ角度に移るまでの時間とする。また、前記の加温時間中に、便座１と洗浄水が適温に達した場合、便座１の加温や洗浄水の加温を停止する。
【００６７】
次に、前記の使用者が便座１に腰掛ける（Ｓ３３及びＣ３２）。また、使用者の体重によって、前記の便座１が着座角度に達し、該便座１を着座角度から回転方向ｒ２に回転できるように開放する。
【００６８】
次に、前記の使用者が便座１から立ち上がると、前記の回転方向ｒ２に開放された便座１が、例えば、スプリングリターン方式で緩慢に回転し撥ね上がる。（Ｓ３４及びＣ３３）。
【００６９】
そして、前記の便座１が立ち上げ角度に達したところで、該便座１は前記の回転方向ｒ２に該便座１の自重によって回転しないように固定される。即ち、次に利用者が便座１を下ろそうとするまで固定される。また、前記の便座１が立ち上げ角度に達した際に、前記の角度検出スイッチは、前記の便座加温器や洗浄水加温器に対する通電を停止する。即ち、前記の便座１が立ち上げ角度に達したときに、前記の自動撥ね上げ式便座付き便器は待機モードになる（Ｓ３５及びＣ３４）。
【００７０】
なお、使用者が前記の自動撥ね上げ式便座付き便器を利用する度に、符号Ｓ３１からＳ３５が繰り返される。
【００７１】
以上のように、本実施の第１乃至第３形態によれば、待機モードにおける電力消費量を殆どゼロにでき、省エネルギータイプの便座加温制御を行うことができる。更に、無駄のない急速加温によって、常時加温方式の便座付き便器と同等の快適さを実現できる。
【００７２】
また、便座（または該便座に付属した便蓋）の上げ忘れを防止し、かつ、便座と温水洗浄を安価に提供する便座付き便器を安価に提供できる。
【００７３】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００７４】
例えば、本実施の第１乃至第３形態の変形例としては、便器本体の上面は、必ずしも水平に形成されていなくても良い。なぜならば、便座加温器や洗浄水加温器が制御角度（即ち、便器本体の上面と便座の下面によって挟まれた角度）に基づいて制御されるためである。
【図面の簡単な説明】
【００７５】
【図１】本実施の第１乃至第３形態における自動撥ね上げ式便座付き便器の構成図。
【図２】本実施の第１乃至第３形態における立ち下げ角度，着座角度，立ち上げ角度に関する説明図。
【図３】本実施の第１形態における自動撥ね上げ式便座付き便器に係る動作説明図。
【図４】本実施の第２形態における自動撥ね上げ式便座付き便器に係る動作説明図。
【図５】本実施の第３形態における自動撥ね上げ式便座付き便器に係る動作説明図。
【符号の説明】
【００７６】
１…便座
１ａ…便座の下面
２…回動軸部材
３…便器本体
３ａ…便器本体の上面
α，β，γ，δ…制御角度
ｒ１，ｒ２…回転方向
【図１】
2007209641.tif 000004
【図２】
2007209641.tif 000005
【図３】
2007209641.tif 000006
【図４】
2007209641.tif 000007
【図５】
2007209641.tif 000008